(57)【要約】【課題】２つのスピーカーユニットを有するイヤホンを提供する。【解決手段】イヤホンは、筺体と、ブラケットと、第１スピーカーユニットと、第２スピーカーユニットとを備える。ブラケットは、筺体の中に配置され、前プレートと、第１筒部と、第２筒部と、少なくとも１つの接続部とを含む。第１筒部は、前プレートに接続される。第２筒部は、第１筒部から分離される。第１筒部は、前プレートと第２筒部の間に配置される。接続部は、第１筒部と第２筒部を接続する。前プレートは、中央開口と、周囲開口とを有する。第２収容空間は、周囲開口を介して主音声出力パスに連通する。第１スピーカーユニットは、第１筒部の第１収容空間内に配置される。第２スピーカーユニットは、第２筒部の第２収容空間内に配置される。【選択図】図３
2012085257.tif 000002
【特許請求の範囲】
【請求項１】
前筺体および後筺体を有し、前記前筺体が、前記後筺体に組み付けられ、且つ主音声出力パスを有する筺体と、
前記筺体の中に配置され、
中央開口および前記中央開口の周辺にある複数の周囲開口を有する前プレートと、
前記前プレートに接続され、前記中央開口を介して前記主音声出力パスに接続された第１収容空間を有する第１筒部と、
前記第１筒部から分離され、前記周囲開口を介して前記主音声出力パスに接続された第２収容空間を有し、前記前プレートとの間に前記第１筒部が配置された第２筒部と、
前記第１筒部と前記第２筒部を接続する少なくとも１つの接続部と
を備えたブラケットと、
前記第１収容空間内に配置された第１スピーカーユニットと、
前記第２収容空間内に配置された第２スピーカーユニットと
を備えたイヤホン。
【請求項２】
前記第２筒部の内壁が、ワイヤトレンチを有する請求項１記載のイヤホン。
【請求項３】
前記筺体が、ワイヤ孔を有する請求項１記載のイヤホン。
【請求項４】
複数の導線をさらに有し、
前記第１スピーカーユニットが、２つの第１入力端および２つの第１出力端を有し、前記各第１入力端が、前記第１出力端の１つに電気接続され、
前記第２スピーカーユニットが、２つの第２入力端、２つの第２出力端および２つの接続端を有し、前記各第２入力端が、前記第２出力端の１つおよび前記接続端の１つに電気接続され、前記各第２入力端が、前記導線の１つを介して外部音源に電気接続され、前記各第２出力端が、前記導線の１つを介して前記第２スピーカーユニットの第２コイルに電気接続され、前記各接続端が、前記導線の１つを介して前記第１入力端の１つに電気接続され、前記第１出力端が、前記導線の１つを介して前記第１スピーカーユニットの第１コイルに電気接続された請求項１記載のイヤホン。
【請求項５】
前記第１スピーカーユニットの出力可聴周波数が、前記第２スピーカーユニットの出力可聴周波数よりも高い請求項１記載のイヤホン。
【発明の詳細な説明】
【技術分野】
【０００１】
本発明は、イヤホン（earphone）に関するものであり、特に、２つのスピーカーユニット（speaker unit）を有するイヤホンに関するものである。
【背景技術】
【０００２】
科学技術の急速な進歩に伴い、電気製品が全て軽量・小型化に向かって発展したため、人々は、ラジオやウォークマンのような小型の電気製品をいつでもどこでも使うことができるようになった。さらに、ＭＰ３ウォークマン、携帯電話、ＰＤＡ（personal digital assistant）、ノート型パソコン等のパーソナル・デジタル製品が次第に普及して、日常生活に不可欠なものとなり、ラジオとＭＰ３の両方の機能を組み込んだ携帯電話も出ている。
【０００３】
これらの電気製品に対し、電気製品によって提供された音声情報を他人に迷惑をかけずに聞くことができるよう、電気製品のアクセサリとしてイヤホンが必需品となっている。また、イヤホンがより優れた音声伝送を提供することによって、リスナーは、音声情報をはっきりと聞き取り、内容を理解することができる。空気を通した不明瞭な音声伝送に比べて、特に、リスナーが動いている時、例えば、運動や運転をしている時、激しく動き回っている時、あるいは騒音のある環境にいる時、イヤホンの音声伝送はその影響を受けない。
【発明の概要】
【発明が解決しようとする課題】
【０００４】
従来のイヤホンは、通常、単一のスピーカーユニットを使用する。しかしながら、スピーカーユニットの出力可聴周波数（output audio frequency）は、それぞれ特定の範囲を有するため、全ての周波数において均一のパフォーマンスを達成することはできない。
【課題を解決するための手段】
【０００５】
したがって、本発明は、単一のスピーカーユニットの出力可聴周波数が狭い問題を解決することのできるイヤホンを提供することを目的とする。
【０００６】
本発明のイヤホンは、筺体と、ブラケット（bracket）と、第１スピーカーユニットと、第２スピーカーユニットとを備える。筺体は、前筺体と、後筺体とを含む。前筺体は、後筺体に組み付けられる。前筺体は、主音声出力パス（main audio-output path）を有する。ブラケットは、筺体の中に配置される。ブラケットは、前プレートと、第１筒部と、第２筒部と、少なくとも１つの接続部とを含む。第１筒部は、前プレートに接続され、第１収容空間を有する。第２筒部は、第１筒部から分離され、第２収容空間を有する。第１筒部は、前プレートと第２筒部の間に配置される。接続部は、第１筒部と第２筒部を接続する。前プレートは、中央開口と、中央開口の周辺にある複数の周囲開口とを有する。第１収容空間は、中央開口を介して主音声出力パスに接続される。第２収容空間は、周囲開口を介して主音声出力パスに連通する。第１スピーカーユニットは、第１収容空間内に配置される。第２スピーカーユニットは、第２収容空間内に配置される。
【０００７】
本発明の１つの実施形態中、第２筒部の内壁は、ワイヤトレンチ（wire trench）を有する。
【０００８】
本発明の１つの実施形態中、筺体は、ワイヤ孔（wire hole）を有する。
【０００９】
本発明の１つの実施形態中、イヤホンは、さらに、複数の導線を有する。第１スピーカーユニットは、２つの第１入力端と、２つの第１出力端とを有する。各第１入力端は、第１出力端の１つに電気接続される。第２スピーカーユニットは、２つの第２入力端と、２つの第２出力端と、２つの接続端とを有する。各第２入力端は、第２出力端の１つおよび接続端の１つに電気接続される。各第２入力端は、導線の１つを介して外部音源に電気接続される。各第２出力端は、導線の１つを介して第２スピーカーユニットの第２コイルに電気接続される。各接続端は、導線の１つを介して第１入力端の１つに電気接続される。各第1出力端は、導線の１つを介して、第1スピーカーユニットの第1コイルに電気接続される。
【００１０】
本発明の１つの実施形態中、第１スピーカーユニットの出力可聴周波数は、第２スピーカーユニットの出力可聴周波数よりも高い。
【発明の効果】
【００１１】
以上のように、本発明のイヤホンは、２つのスピーカーユニットによって生成される全体の出力可聴周波域が比較的広いため、全ての周波数において均一の周波数応答（frequency response）を達成することができる。
【００１２】
本発明の上記および他の目的、特徴、および利点をより分かり易くするため、図面と併せた幾つかの実施形態を以下に説明する。
【図面の簡単な説明】
【００１３】
【図１】本発明の１つの実施形態に係るイヤホンの分解図である。
【図２】本発明の１つの実施形態に係るイヤホンの別の分解図である。
【図３】図１のイヤホンの部分的断面図である。
【発明を実施するための形態】
【００１４】
図１および図２は、本発明の１つの実施形態に係るイヤホンの２つの視角の分解図である。図１および図２を参照すると、本実施形態のイヤホン１００は、筺体１１０と、ブラケット１２０と、第１スピーカーユニット１３０と、第２スピーカーユニット１４０とを含む。ブラケット１２０は、筺体１１０の中に配置され、第１収容空間Ｓ１２と、第２収容空間Ｓ１４とを有する。
【００１５】
図３は、図１のイヤホンの部分的断面図である。図３を参照すると、第１スピーカーユニット１３０は、第１収容空間Ｓ１２内に配置される。第２スピーカーユニット１４０は、第２収容空間Ｓ１４内に配置される。
【００１６】
上記からわかるように、第１スピーカーユニット１３０および第２スピーカーユニット１４０は、本実施形態のイヤホン１００の中に配置される。第１スピーカーユニット１３０および第２スピーカーユニット１４０は、異なる出力周波数を有する。つまり、第１スピーカーユニット１３０および第２スピーカーユニット１４０は、異なる周波数応答曲線を有する。そのため、本実施形態のイヤホン１００の全体の出力可聴周波数は、第１スピーカーユニット１３０および第２スピーカーユニット１４０の出力可聴周波数の合計になり、より広い出力可聴周波数域と滑らかな周波数応答曲線を簡単に得ることができる。したがって、本実施形態のイヤホン１００を使用することにより、より優れた音質をユーザーに提供することができる。また、本実施形態のイヤホン１００において、第１スピーカーユニット１３０および第２スピーカーユニット１４０は、ブラケット１２０によって固定されるため、ブラケット１２０と筺体１００は、固定された相対位置を容易に維持することができる。そのため、第１スピーカーユニット１３０および第２スピーカーユニット１４０は、より優れた音声出力空間を確保することができ、より優れた音質をユーザーに提供するとともに、組み立ての困難度を減らすこともできる。
【００１７】
筺体１１０は、前筺体１１０Ａと、後筺体１１０Ｂとを含む。前筺体１１０Ａは、後筺体１１０Ｂに組み立てられる。例えば、本実施形態のイヤホン１００を組み立てる時、第１スピーカーユニット１３０をブラケット１２０の第１収容空間Ｓ１２内に配置する。それから、第２スピーカーユニット１４０をブラケット１２０の第２収容空間Ｓ１４内に配置する。そして、ブラケット１２０、第１スピーカーユニット１３０および第２スピーカーユニット１４０を同時に前筺体１１０Ａの中に配置する。最後に、前筺体１１０Ａを後筺体１１０Ｂに組み立てて、本実施形態のイヤホン１００を形成する。第１スピーカーユニット１３０および第２スピーカーユニット１４０は、ブラケット１２０によって固定されるため、第１スピーカーユニット１３０と第２スピーカーユニット１４０を筺体１１０の中に配置した後、第１スピーカーユニット１３０と第２スピーカーユニット１４０を位置付けする追加のプロセスを必要とせず、組み立て時間とコストを減らすことができる。前筺体１１０Ａと後筺体１１０Ｂの間の組み立ては、簡単なウェッジ構造（wedging structure）またはその他の方法によって達成することができる。
【００１８】
本実施形態の筺体１１０は、主音声出力パスＰ１２を有する。第１スピーカーユニット１３０および第２スピーカーユニット１４０によって提供された音は、いずれも主音声出力パスＰ１２を介して外に伝送される。また、本実施形態のブラケット１２０は、さらに、ブラケット１２０の前側中央に設けられた中央開口Ｐ１４を有する。第１収容空間Ｓ１２は、中央開口Ｐ１４を介して主音声出力パスＰ１２に接続される。また、本実施形態のブラケット１２０は、さらに、ブラケット１２０の前側周辺に設けられた複数の周囲開口Ｐ１６を有する。第２収容空間Ｓ１４は、周囲開口Ｐ１６を介して主音声出力パスＰ１２に接続される。つまり、本実施形態の第１スピーカーユニット１３０によって提供された音は、中央開口Ｐ１４を介して主音声出力パスＰ１２に伝送され、本実施形態の第２スピーカーユニット１４０によって提供された音は、周囲開口Ｐ１６を介して主音声出力パスＰ１２に伝送される。主音声出力パスＰ１２の前に２つの独立した伝送経路を配置することによって、第１スピーカーユニット１３０および第２スピーカーユニット１４０によって提供された音の間の干渉を避けることができ、同時に音質を維持することもできる。
【００１９】
特に、本実施形態のブラケット１２０は、前プレート１２２と、第１筒部１２４と、第２筒部１２６と、少なくとも１つの接続部１２８とを含む。第１筒部１２４は、前プレート１２２に接続され、第１収容スペースＳ１２を有する。第２筒部１２６は、第１筒部１２４から分離され、第２収容スペースＳ１４を有する。第１筒部１２４は、前プレート１２２と第２筒部１２６の間に配置される。第１筒部１２４および第２筒部１２６は、円筒状であり、第１筒部１２４の直径は、第２筒部１２６の直径よりも小さい。第１筒部１２４および第２筒部１２６は、複数の接続部１２８によって接続される。第１筒部１２４と第２筒部１２６の間の空間は、第２スピーカーユニット１４０によって提供された音を周囲開口Ｐ１６に伝送するために使用される。前プレート１２２は、中央開口Ｐ１４と、中央開口Ｐ１４の周辺にある周囲開口Ｐ１６とを有する。第１スピーカーユニット１３０によって提供された音の伝送経路を矢印Ａ１０で示し、第２スピーカーユニット１４０によって提供された音の伝送経路を矢印Ａ２０で示す。図３に示すように、矢印Ａ１０およびＡ２０は、前プレート１２２と第１筒部１２４によって適切に分離されるため、第１スピーカーユニット１３０および第２スピーカーユニット１４０によって提供された音の間の干渉を避けることができ、同時に音質を維持することもできる。
【００２０】
一般的に、サイズの小さい第１スピーカーユニット１３０の出力可聴周波数は、これよりサイズの大きい第２スピーカーユニット１４０の出力可聴周波数よりも高くなるが、本発明はこれに限定されない。明らかに、第１スピーカーユニット１３０の出力可聴周波数は、第２スピーカーユニット１４０の出力可聴周波数と部分的に重複する。
【００２１】
図２を参照すると、本実施形態のイヤホン１００は、さらに、複数の導線１５０を備える。第１スピーカーユニット１３０は、２つの第１入力端１３２と、２つの第１出力端１３４とを有する。各第１入力端１３２は、第１出力端１３４の１つに電気接続され、例えば、回路板（図示せず）上の線（trace）を介して電気接続される。第２スピーカーユニット１４０は、２つの第２入力端１４２と、２つの第２出力端１４４と、２つの接続端１４６とを有する。各第２入力端１４２は、１つの第２出力端１４４および１つの接続端１４６に電気接続され、例えば、回路板（図示せず）上の線を介して電気接続される。各第２入力端１４２は、１つの導線１５０を介して外部音源５０に電気接続される。各第２出力端１４４は、１つの導線１５０を介して第２スピーカーユニット１４０の第２コイル１４８に電気接続される。各接続端１４６は、１つの導線１５０を介して第１入力端１３２に電気接続される。各第１出力端１３４は、１つの導線１５０を介して第１スピーカーユニット１３０の第１コイル１３８に電気接続される。第１コイル１３８および第２コイル１４８を破線で示す。本実施形態において、第１スピーカーユニット１３０および第２スピーカーユニット１４０は、まず、導線１５０によって接続され、それから、導線１５０を介して第２スピーカーユニット１４０が外部音源５０に接続される。そのため、第１スピーカーユニット１３０および第２スピーカーユニット１４０をそれぞれ導線１５０で接続する時のワイヤの複雑性を減らすことができ、組み立ての最中に発生した断線によって生じる収率減少の可能性も減らすことができる。
【００２２】
第２筒部１２６の内壁は、ワイヤトレンチＬ１２を有する。接続端１４６と第１入力端１３２の間の導線１５０は、図２に示すように、ワイヤトレンチＬ１２を通過することができる。筺体１１０は、ワイヤ孔Ｌ１４を有する。第２入力端１４２と外部音源５０の間の導線１５０は、ワイヤ孔Ｌ１４を通過することができる。
【００２３】
以上のように、本発明のイヤホンは、２つのスピーカーユニットによって生成される全体の出力可聴周波域が比較的広いため、均一な周波数応答曲線を達成することができ、それによって、イヤホンの音質を向上させることができる。また、２つのスピーカーユニットの相対位置がブラケットによって固定されるため、２つのスピーカーユニットは、より優れた音声出力空間を確保することができ、それによって、組み立ての困難度を減らし、コストを下げることができる。
【００２４】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００２５】
５０  外部音源
１００  イヤホン
１１０  筺体
１１０Ａ  前筺体
１１０Ｂ  後筺体
１２０  ブラケット
１２２  前プレート
１２４  第１筒部
１２６  第２筒部
１２８  接続部
１３０  第１スピーカーユニット
１３２  第１入力端
１３４  第１出力端
１３８  第１コイル
１４０  第２スピーカーユニット
１４２  第２入力端
１４４  第２出力端
１４６  接続端
１４８  第２コイル
１５０  導線
Ａ１０、Ａ２０  矢印
Ｌ１２  ワイヤトレンチ
Ｌ１４  ワイヤ孔
Ｐ１２  主出力音声パス
Ｐ１４  中央開口
Ｐ１６  周囲開口
Ｓ１２  第１収容空間
Ｓ１４  第２収容空間
【図１】
2012085257.tif 000003
【図２】
2012085257.tif 000004
【図３】
2012085257.tif 000005
【外国語明細書】
2012085257000001.pdf